(57)【特許請求の範囲】
【請求項１】
和太鼓を縦向きに載せる太鼓台において、前記和太鼓を縦向きに載せる台座を円環状のものとし、この円環状の台座を、薄紙を複数層に緊張させて巻き付け、各紙層間を接着剤で接着した紙製円環体で形成したことを特徴とする太鼓台。
【請求項２】
前記台座に載せる和太鼓を、両端に鼓面となる皮革を張設した胴部を、薄紙を複数層に緊張させて巻き付け、各紙層間を接着剤で接着した紙製筒体で形成し、この紙製筒体の外周面を削り出しにより中高の太鼓状に形成して、紙製筒体の少なくとも外周面を樹脂皮膜で被覆し、この樹脂皮膜を透明なものとして、前記外周面に前記紙層の縞目が表われるようにした和太鼓とし、前記紙製円環体を、前記和太鼓の胴部を形成する紙製筒体の一部を輪切りしたものとした請求項１に記載の太鼓台。
【発明の詳細な説明】
【０００１】
【発明の属する技術分野】
この発明は、和太鼓と、和太鼓を縦向きに載せる太鼓台に関するものである。
【０００２】
【従来の技術】
両端に鼓面となる皮革を張設した和太鼓の胴部は、欅やアフリカ産のバオバブ等の大木の幹を繰り抜いて形成されている。しかしながら、和太鼓の胴部を繰り抜けるような大木は年々得がたくなっており、自然保護の面からも貴重な大木の伐採は、できるだけ回避することが望まれている。また、このような木製の胴部は、幹からの繰り抜きと、繰り抜き後の乾燥に手間がかかり、高価な幹素材と相俟って、非常に高価なものとなっている。
【０００３】
このような実情から、近年、胴部を紙製とする和太鼓が提案されている（例えば、特許文献１、２参照。）。特許文献１に記載されたものは、胴部両端の環状枠体に張設される紙製鼓面を有する一種の締太鼓を対象として、肉厚紙で形成された紙製管を円筒輪切り状にしたもので胴部を形成している。また、特許文献２に記載されたものは、再生紙のパルプを金型に流し込む真空成形法で和太鼓の胴部を形成し、その両端部に鼓面の皮革が鋲止めされる枠体を取り付けている。
【０００４】
一方、和太鼓を縦向きに載せる太鼓台の台座は、和太鼓の響きを損なわないように、打たれる上側鼓面と反対側の下側鼓面を開放した木製角材の矩形枠体で形成されている。
【０００５】
【特許文献１】
特開平９−１４６５４２号公報（第２−３頁、第１−２図）
【特許文献２】
特開２００２−１４９１５５号公報（第７−８頁、第１−１０図）
【０００６】
【発明が解決しようとする課題】
上述した胴部を肉厚紙の紙製管から円筒輪切り状に形成したり、再生パルプから真空成形法で形成した紙製胴の和太鼓は、胴部の剛性や緻密性が木製のものより低くなるので、その音質や響きが旧来の木製胴の和太鼓に劣る問題がある。また、紙製胴の和太鼓は吸湿性が高いので、湿度が高くなったり、雨水等で濡れたりすると、音質や響きが低下する問題もある。
【０００７】
一方、台座に木製角材を用いる従来の太鼓台は、大きな和太鼓を載せるものでは、台座を形成する木製角材も太いものとなるので、価格も高価になり、自然保護の面からも代替品が望まれている。また、台座に太い木製角材を用いた太鼓台は、重量も重くなるので持ち運びが大変である。
【０００８】
そこで、この発明の課題は、安価で音質や響きが木製胴のものと遜色のない和太鼓と、軽量かつ安価で、和太鼓の響きを損なわない太鼓台を提供することである。
【０００９】
【課題を解決するための手段】
上記の課題を解決するために、この発明の和太鼓は、胴部の両端に鼓面となる皮革を張設した和太鼓において、前記胴部を、薄紙を複数層に緊張させて巻き付け、各紙層間を接着剤で接着した紙製筒体で形成し、この紙製筒体の少なくとも外周面を樹脂皮膜で被覆した構成を採用した。
【００１０】
すなわち、薄紙を複数層に緊張巻き付けして、各紙層間を接着剤で接着した紙製筒体で胴部を形成し、この紙製筒体の少なくとも外周面を樹脂皮膜で被覆することにより、緊張巻き付けによる圧縮応力で、胴部を剛性と緻密性の高いものとするとともに、外周面からの胴部の吸湿を樹脂皮膜の被覆で防止し、木製胴の和太鼓と遜色のない優れた音質と響きが得られるようにした。なお、薄紙としては、クラフト紙等の新紙のほかに、新聞紙等の古紙を用いることもできる。
【００１１】
前記紙製筒体の外周面を、削り出しにより中高の太鼓状に形成し、前記樹脂皮膜を透明なものとして、前記外周面に前記紙層の縞目が表われるようにすることにより、特別な描画等を施すことなく、木目に似た自然な縞目を胴部の外周面に形成することができる。
【００１２】
また、この発明の太鼓台は、和太鼓を縦向きに載せる太鼓台において、前記和太鼓を縦向きに載せる台座を円環状のものとし、この円環状の台座を、薄紙を複数層に緊張させて巻き付け、各紙層間を接着剤で接着した紙製円環体で形成した構成を採用した。
【００１３】
すなわち、和太鼓を縦向きに載せる台座を円環状のものとし、薄紙を複数層に緊張させて巻き付け、各紙層間を接着剤で接着した紙製円環体で台座を形成することにより、台座の剛性と緻密性を高くし、軽量かつ安価で、和太鼓の響きを損なわない太鼓台を提供できるようにした。
【００１４】
前記台座に載せる和太鼓を、上記いずれかの和太鼓とし、前記紙製円環体を、前記和太鼓の胴部を形成する紙製筒体の一部を輪切りしたものとすることにより、太鼓台をより安価に形成することができる。
【００１５】
【発明の実施の形態】
以下、図１乃至図３に基づき、この発明の実施形態を説明する。図１および図２は、本発明に係る和太鼓１を示す。この和太鼓１は、胴部２が、薄紙３を複数層に緊張させて巻き付け、各紙層間を接着剤４で接着した紙製筒体の外周面を、削り出しにより中高の太鼓状に形成された宮太鼓であり、胴部２の外周面と内周面は、透明な樹脂皮膜であるワニス５で被覆されている。
【００１６】
前記胴部２の両端部には、鼓面となる皮革６が張設されて鋲７で止められ、中央部には把手８が取り付けられている。この胴部２は、薄紙３の緊張巻き付けにより、十分に剛性と緻密性の高いものとされているので、鋲７や把手８を強固に固着することができる。また、胴部２の外周面には、前記中高太鼓状の削り出しによって、紙層の縞目９が表われている。
【００１７】
図３（ａ）、（ｂ）は、本発明に係る太鼓台１０を示す。この太鼓台１０は、和太鼓１を縦向きに台座１１に載せるものであり、台座１１は、和太鼓１の胴部２を形成した前記紙製筒体の一部を輪切りした紙製円環体で形成されている。台座１１の外周には、上部を半円形に切欠いた木製丸材の脚１２が４箇所に取り付けられている。この太鼓台１０は、台座１１が円環状で、その外径および内径が和太鼓１の外径および内径とそれぞれ等しいので、縦向きの和太鼓１の下側鼓面を効率よく開放して、和太鼓１を安定した状態で載せることができる。
【００１８】
上述した実施形態では、和太鼓を胴部の外周面が太鼓状に膨らんだ宮太鼓とし、その内周面をストレートな形状としたが、内周面も凹状に削り出してもよい。また、本発明に係る和太鼓は、胴部の外周面がストレートな平太鼓や拍子太鼓等にも適用することができる。
【００１９】
さらに、本発明に係る太鼓台の脚は、実施形態のものに限定されることはなく、任意に設計することができ、省略することもできる。
【００２０】
【発明の効果】
以上のように、この発明の和太鼓は、薄紙を複数層に緊張巻き付けして、各紙層間を接着剤で接着した紙製筒体で胴部を形成し、この紙製筒体の少なくとも外周面を樹脂皮膜で被覆することにより、緊張巻き付けによる圧縮応力で、胴部を剛性と緻密性の高いものとし、かつ、外周面からの胴部の吸湿を樹脂皮膜の被覆で防止するようにしたので、安価で音質と響きが木製胴の和太鼓と遜色のないものとすることができる。
【００２１】
前記紙製筒体の外周面を、削り出しにより中高の太鼓状に形成し、前記樹脂皮膜を透明なものとして、外周面に前記紙層の縞目が表われるようにすることにより、特別な描画等を施すことなく、木目に似た自然な縞目を胴部の外周面に形成することができる。
【００２２】
また、この発明の太鼓台は、和太鼓を縦向きに載せる台座を円環状のものとし、薄紙を複数層に緊張させて巻き付け、各紙層間を接着剤で接着した紙製円環体で台座を形成することにより、台座の剛性と緻密性を高いものとしたので、軽量かつ安価で、和太鼓の響きを損なわないものとすることができる。
【００２３】
前記台座に載せる和太鼓を、上述した和太鼓とし、前記紙製円環体を、和太鼓の胴部を形成する紙製筒体の一部を輪切りしたものとすることにより、太鼓台をより安価に形成することができる。
【図面の簡単な説明】
【図１】和太鼓の実施形態を示す正面図
【図２】図１の和太鼓の胴部を示す縦断面図
【図３】ａは太鼓台の実施形態を示す平面図、ｂはａの縦断面図
【符号の説明】
１  和太鼓
２  胴部
３  薄紙
４  接着剤
５  ワニス
６  皮革
７  鋲
８  把手
９  縞目
１０  太鼓台
１１  台座
１２  脚
【図１】
0003717904.tif 000002
【図２】
0003717904.tif 000003
【図３】
0003717904.tif 000004